(57)【要約】【課題】  容易に通信時の位置合わせを行うことができ、通信の確実性の向上を図ることができる近距離無線通信装置を提供すること。【解決手段】  通信電波が所定範囲の指向性を有する近距離無線通信手段５と、通信状態を操作する操作手段３と、を備えた近距離無線通信装置であって、近距離無線通信手段５にて通信を行う際に少なくとも通信電波の照射方向を含む画像を取得する画像取得手段４と、この取得された画像を表示する表示手段２と、を備えた。【選択図】図１
2007053424.tif 000002
【特許請求の範囲】
【請求項１】
通信電波が所定範囲の指向性を有する近距離無線通信手段と、通信状態を操作する操作手段と、を備えた近距離無線通信装置であって、
前記近距離無線通信手段にて通信を行う際に少なくとも通信電波の照射方向を含む画像を取得する画像取得手段と、この取得された画像を表示する表示手段と、を備えた、
ことを特徴とする近距離無線通信装置。
【請求項２】
前記画像取得手段の画像撮影部と前記近距離無線通信手段の通信電波照射部とを近接して配置した、ことを特徴とする請求項１記載の近距離無線通信装置。
【請求項３】
前記画像取得手段の画像撮影部と前記近距離無線通信手段の通信電波照射部とを、画像撮影方向と通信電波の照射方向とがほぼ一致するよう配置した、ことを特徴とする請求項２記載の近距離無線通信装置。
【請求項４】
前記表示手段は、前記画像取得手段によって取得され表示される画像上に前記通信電波の照射方向を表す照射位置マークを表示する、ことを特徴とする請求項１，２又は３記載の近距離無線通信装置。
【請求項５】
前記表示手段は、前記照射位置マークを表示画面のほぼ中央に表示する、ことを特徴とする請求項４記載の近距離無線通信装置。
【請求項６】
前記近距離無線通信手段は、通信時に徐々に通信電波の照射レベルを上げて通信を行う、ことを特徴とする請求項１，２，３，４又は５記載の近距離無線通信装置。
【請求項７】
前記近距離無線通信手段は、通信相手との接続が確立されことを検知したときに現在の通信電波の照射レベルを維持して通信を行う、ことを特徴とする請求項６記載の近距離無線通信装置。
【請求項８】
前記近距離無線通信手段は、通信開始前に前記画像取得手段に通信開始準備指令を発し、
前記画像取得手段は、前記通信開始準備指令に応じて画像の取得を開始する、ことを特徴とする請求項１，２，３，４，５，６又は７記載の近距離無線通信装置。
【請求項９】
前記近距離無線通信手段は、通信相手との接続が確立されたことを検知したときに接続確立通知を前記画像取得手段に通知し、
前記画像取得手段は、前記接続確立通知に応じて画像の取得を停止する、
ことを特徴とする請求項１，２，３，４，５，６，７又は８記載の近距離無線通信装置。
【請求項１０】
請求項１乃至９記載の近距離無線通信装置を搭載したことを特徴とする携帯型情報処理端末。
【請求項１１】
前記近距離無線通信手段は、赤外線通信手段である、ことを特徴とする請求項１０記載の携帯型情報処理端末。
【請求項１２】
前記携帯型情報処理端末は、前記表示手段及び前記操作手段が表面に装備された携帯電話であって、
前記画像取得手段の画像撮影部と前記近距離無線通信手段の通信電波照射部とが、携帯電話の背面に装備された、ことを特徴とする請求項１０又は１１記載の携帯型情報処理端末。
【請求項１３】
通信電波が所定範囲の指向性を有する近距離無線通信手段と、画像を取得する画像取得手段と、取得された画像を表示する表示手段と、所定の操作指令を入力する操作手段と、を備えた近距離無線通信装置にて近距離無線通信を行う方法であって、
前記画像取得手段が前記近距離無線通信手段による通信電波の照射方向の画像を取得し、当該画像を前記表示手段が表示し、この表示画像に少なくとも通信対象が含まれているときに前記操作手段から入力される通信指示を受け付けて、前記近距離通信手段にて通信を実行する、
ことを特徴とする近距離無線通信方法。
【請求項１４】
前記画像取得手段による画像取得時に、通信電波の照射方向がほぼ中央に位置する画像を取得する、ことを特徴とする請求項１３記載の近距離無線通信方法。
【請求項１５】
前記表示手段による画像表示時に、当該画像上に予め設定された通信電波の照射方向を表す照射位置マークを表示する、ことを特徴とする請求項１３又は１４記載の近距離無線通信方法。
【請求項１６】
前記近距離無線通信手段による通信時に、徐々に通信電波の照射レベルを上げて当該通信電波を照射する、ことを特徴とする請求項１３，１４又は１５記載の近距離無線通信方法。
【請求項１７】
前記近距離無線通信手段による通信時に、通信対象との接続が確立されたか否かを調べ、確立された場合に現在の通信電波の照射レベルを維持して通信を継続する、ことを特徴とする請求項１６記載の近距離無線通信方法。
【請求項１８】
前記画像取得手段が、前記近距離無線通信手段による通信開始直前から画像の取得を開始する、ことを特徴とする請求項１３，１４，１５，１６又は１７記載の近距離無線通信方法。
【請求項１９】
前記近距離無線通信手段による通信時に、通信対象との接続が確立されたか否かを調べ、確立された場合に、前記画像取得手段が画像の取得を停止する、
ことを特徴とする請求項１３，１４，１５，１６，１７又は１８記載の近距離無線通信方法。
【請求項２０】
通信電波が所定範囲の指向性を有する近距離無線通信手段と、画像を取得する画像取得手段と、取得された画像を表示する表示手段と、所定の操作指令を入力する操作手段と、を備えた近距離無線通信装置に、
前記画像取得手段にて前記近距離無線通信手段による通信電波の照射方向の画像を取得する画像処理部と、
この取得した画像を前記表示部に表示する表示処理部と、
この表示画像に少なくとも通信対象が含まれているときに前記操作手段から入力される通信指示を受け付けて、前記近距離通信手段にて通信を実行する通信制御部と、
を実現するための近距離無線通信用プログラム。
【請求項２１】
前記表示処理部は、表示する画像上に予め設定された通信電波の照射方向を表す照射位置マークを表示する、ことを特徴とする請求項２０記載の近距離無線通信用プログラム。
【請求項２２】
前記通信制御部は、前記近距離無線通信手段による通信時に徐々に通信電波の照射レベルを上げて当該通信電波を照射する、ことを特徴とする請求項２０又は２１記載の近距離無線通信用プログラム。
【請求項２３】
前記通信制御部は、前記近距離無線通信手段による通信時に通信対象との接続が確立されたか否かを調べ、確立された場合に現在の通信電波の照射レベルを維持して通信を継続する、ことを特徴とする請求項２２記載の近距離無線通信用プログラム。
【発明の詳細な説明】
【技術分野】
【０００１】
本発明は、近距離無線通信装置にかかり、特に、画像取得装置を併設した近距離無線通信装置に関する。また、これを搭載した携帯型情報処理端末及び近距離無線通信方法に関する。
【背景技術】
【０００２】
近年、多くの携帯電話に、他の装置や携帯電話に対して近距離無線通信を行う赤外線通信機能が搭載されている。そして、例えば、他の携帯電話に対して画像データなど記憶しているデータを送信する、携帯電話をテレビのリモコンとして利用してテレビ操作情報を送信する、さらには、携帯電話から自動販売機に対して電子マネーを送信するなど、種々の用途に利用されている。
【０００３】
ところが、赤外線通信機能が搭載された携帯電話においては、赤外線通信に使用される光は不可視光であるため、赤外線通信対象（他の携帯電話やテレビなど）の受光部に対して正確に照射していることを使用者が確認する手段がない。特に、赤外線通信で使用する光は、周囲からのノイズを低減するために指向性が高くなっているため、受光部に対して照射角がずれている場合には、光の到達距離の範囲内であっても、通信できないことも頻繁に起こりうる。以上の問題点から、より容易に、かつ、確実に通信が行えるような方式が求められている。
【０００４】
さらに、上記問題点から、操作者が照射方向の位置合わせに注意しすぎることにより、自己の端末のディスプレイに表示される通信状況を監視できず、また、通信のための操作もままならない、という問題も生じうる。
【０００５】
これに対し、特許文献１では、近年、多くの携帯電話１に搭載されているカメラの回転構造に着目し、当該回転部に赤外線部を搭載している。このように、回転部に設けることで、赤外線通信時に、一方の携帯電話では操作面側（表面側）に、他の携帯電話では背面側に、それぞれ赤外線部を向けることで、各赤外線部にて通信を行いつつ、双方の携帯電話の表示部をそれぞれの操作者に向けることができると共に、操作画面も操作者に向けることができる。従って、通信時の状況を確認しつつ、操作も容易に行うことができる。
【０００６】
なお、上述した特許文献１では、カメラ機能と赤外線通信機能との関係には触れていない。このことは、当該文献に、カメラと赤外線部とを異なる回転部に設けることや、カメラと赤外線部とが反対方向を向いていてもよい、ことの記載があることからも明らかである。そして、カメラが装備された回転部に赤外線部を搭載した理由としては、単に小型化やコスト削減を図るためであるとしている。
【０００７】
【特許文献１】特開２００４−２８９３３６号公報
【発明の開示】
【発明が解決しようとする課題】
【０００８】
しかしながら、上記特許文献１に開示された技術では、単に携帯電話間における通信時の状況を、各操作者がそれぞれの表示部にて確認して、それぞれの操作部にて操作可能としているだけであって、依然として上記問題は解消されていない。つまり、赤外線の照射方向を容易に設定するための技術ではなく、通信操作が容易であっても、その前提となる両赤外線部の位置合わせが難しい、という問題が生じる。これによって、容易かつ迅速、さらには、確実な通信を行うことが困難となる。
【０００９】
このため、本発明では、上記従来例の有する不都合を改善し、特に、容易に通信時の位置合わせを行うことができ、通信の確実性の向上を図ることができる近距離無線通信装置を提供すること、をその目的とする。
【課題を解決するための手段】
【００１０】
そこで、本発明の一形態である近距離無線通信装置は、通信電波が所定範囲の指向性を有する近距離無線通信手段と、通信状態を操作する操作手段と、を備えた近距離無線通信装置であって、近距離無線通信手段にて通信を行う際に少なくとも通信電波の照射方向を含む画像を取得する画像取得手段と、この取得された画像を表示する表示手段と、を備えた、ことを特徴としている。
【００１１】
上記発明によると、近距離無線通信を行う際に、電波の照射方向の画像が取得され表示される。従って、操作者はかかる画像を見て、近距離無線通信手段の照射方向が通信対象に向いているか否かを確認し、向いているときに操作手段にて通信操作指令を入力することができる。このように、通信時の位置合わせを容易に行うことができ、通信の確実性の向上を図ることができる。
【００１２】
また、画像取得手段の画像撮影部と近距離無線通信手段の通信電波照射部とを近接して配置した、ことを特徴としている。さらに、画像取得手段の画像撮影部と近距離無線通信手段の通信電波照射部とを、画像撮影方向と通信電波の照射方向とがほぼ一致するよう配置した、ことを特徴としている。これにより、通信電波の照射方向が表示画面に表示されやすくなり、近距離無線通信時における位置合わせのさらなる容易化を図ることができる。
【００１３】
また、表示手段は、画像取得手段によって取得され表示される画像上に通信電波の照射方向を表す照射位置マークを表示する、ことを特徴としている。そして、特に、表示手段は、照射位置マークを表示画面のほぼ中央に表示する、ことを特徴としている。これにより、まず、操作者は、表示画面を見て照射位置マークが通信対象に重なるよう画像取得方向を設定する。そして、照射位置マークと通信対象が重なったときに通信操作を行うことで、通信を実行することができる。従って、より容易に通信方向の位置合わせを行うことができる。
【００１４】
また、近距離無線通信手段は、通信時に徐々に通信電波の照射レベルを上げて通信を行う、ことを特徴としている。このとき、近距離無線通信手段は、通信相手との接続が確立されことを検知したときに現在の通信電波の照射レベルを維持して通信を行う、ことを特徴としている。また、近距離無線通信手段は、通信開始前に画像取得手段に通信開始準備指令を発し、画像取得手段は、通信開始準備指令に応じて画像の取得を開始する、ことを特徴としている。さらに、近距離無線通信手段は、通信相手との接続が確立されたことを検知したときに接続確立通知を画像取得手段に通知し、画像取得手段は、接続確立通知に応じて画像の取得を停止する、ことを特徴としている。これにより、通信が確立される前は照射レベルを小さく設定したり、画像取得手段の動作を制限することにより、近距離無線通信装置の消費電力の低減を図ることができる。
【００１５】
また、本発明の他の形態は、上述した近距離無線通信装置を搭載した携帯型情報処理端末でもある。そして、近距離無線通信手段は、赤外線通信手段である、ことを特徴としている。さらに、携帯型情報処理端末は、表示手段及び前記操作手段が表面に装備された携帯電話であって、画像取得手段の画像撮影部と近距離無線通信手段の通信電波照射部とが、携帯電話の背面に装備された、ことを特徴としている。
【００１６】
これにより、装置の固定が容易ではない携帯型端末であっても近距離無線通信時の位置合わせを容易に行うことができ、操作性の向上を図ることができる。また、多くの機種で予めカメラが搭載されている携帯電話に搭載することで、新たな構成を装備することなく、低コストで赤外線通信の操作が容易となり、通信の確実性の向上を図ることができる。さらには、バッテリーが限られている携帯端末において省電力化を測ることができ、駆動時間の短縮化を抑制できる。
【００１７】
また、本発明の他の形態である近距離無線通信方法は、通信電波が所定範囲の指向性を有する近距離無線通信手段と、画像を取得する画像取得手段と、取得された画像を表示する表示手段と、所定の操作指令を入力する操作手段と、を備えた近距離無線通信装置にて近距離無線通信を行う方法であって、画像取得手段が近距離無線通信手段による通信電波の照射方向の画像を取得し、当該画像を表示手段が表示し、この表示画像に少なくとも通信対象が含まれているときに操作手段から入力される通信指示を受け付けて、近距離通信手段にて通信を実行する、ことを特徴としている。
【００１８】
そして、画像取得手段による画像取得時に、通信電波の照射方向がほぼ中央に位置する画像を取得する、ことを特徴としている。また、表示手段による画像表示時に、当該画像上に予め設定された通信電波の照射方向を表す照射位置マークを表示する、ことを特徴としている。また、近距離無線通信手段による通信時に、徐々に通信電波の照射レベルを上げて当該通信電波を照射する、ことを特徴としている。このとき、近距離無線通信手段による通信時に、通信対象との接続が確立されたか否かを調べ、確立された場合に現在の通信電波の照射レベルを維持して通信を継続する、ことを特徴としている。
【００１９】
また、画像取得手段が、近距離無線通信手段による通信開始直前から画像の取得を開始する、ことを特徴としている。さらに、近距離無線通信手段による通信時に、通信対象との接続が確立されたか否かを調べ、確立された場合に、画像取得手段が画像の取得を停止する、ことを特徴としている。
【００２０】
さらに、本発明の他の形態である近距離無線通信用プログラムは、
通信電波が所定範囲の指向性を有する近距離無線通信手段と、画像を取得する画像取得手段と、取得された画像を表示する表示手段と、所定の操作指令を入力する操作手段と、を備えた近距離無線通信装置に、
画像取得手段にて近距離無線通信手段による通信電波の照射方向の画像を取得する画像処理部と、
この取得した画像を表示部に表示する表示処理部と、
この表示画像に少なくとも通信対象が含まれているときに操作手段から入力される通信指示を受け付けて、近距離通信手段にて通信を実行する通信制御部と、
を実現する、ことを特徴としている。
【００２１】
また、表示処理部は、表示する画像上に予め設定された通信電波の照射方向を表す照射位置マークを表示する、ことを特徴としている。さらに、通信制御部は、近距離無線通信手段による通信時に徐々に通信電波の照射レベルを上げて当該通信電波を照射する、ことを特徴としている。このとき、通信制御部は、近距離無線通信手段による通信時に通信対象との接続が確立されたか否かを調べ、確立された場合に現在の通信電波の照射レベルを維持して通信を継続する、ことを特徴としている。
【００２２】
上記近距離無線通信方法あるいは近距離無線通信用プログラムであっても、上述した近距離無線通信装置と同様の作用、効果を有するため、上記本発明の目的を達成することができる。
【発明の効果】
【００２３】
本発明は、以上のように構成され機能するので、これによると、近距離無線通信手段を用いた通信時の位置合わせを容易に行うことができ、利便性の向上を図ることができるとともに、通信の確実性の向上を図ることができる、という従来にない優れた効果を有する。
【発明を実施するための最良の形態】
【００２４】
本発明は、指向性を有する近距離無線通信の通信方向を画像表示することに特徴を有する。これにより、表示される通信対象の位置に応じて通信を開始し、通信の位置合わせを容易に行うとするものである。以下、詳細な構成及び動作を実施例にて説明する。
【００２５】
なお、以下では、上記特徴を有する本発明である近距離無線通信装置を搭載した携帯電話を例に挙げて説明する。但し、近距離無線通信装置を搭載した他の携帯型情報処理端末（例えば、ＰＤＡやノートパソコン）であってもよく、後述するように、カメラを備えた近距離無線通信を行う専用の装置であってもよい。
【００２６】
また、近距離無線通信として、以下では、ＩｒＤＡ方式による赤外線通信を一例に挙げて説明するが、かかる方式や赤外線通信に限定されない。一定の指向性を有する通信電波を利用する近距離無線通信手段による装置であればよい。
【実施例１】
【００２７】
本発明の第１の実施例を、図１乃至図５を参照して説明する。図１は、本発明の近距離無線通信装置が搭載される携帯電話の構成を示す正面図及び背面図である。図２は、携帯電話の構成を示す機能ブロック図である。図３は、画像取得範囲と赤外線照射方向との関係を示す説明図である。図４は、携帯電話の表示画面の一例を示す図である。図５は、携帯電話の動作を示すフローチャートである。
【００２８】
［構成］
図１に示す携帯電話１は、折り畳み可能な携帯電話であって、図１（ａ）に表面側、つまり、折り畳まれたときに内側に位置する面を示し、図１（ｂ）に背面側を示す。そして、この携帯電話１は、一般的に普及している携帯電話が有する構成を備えている。具体的に、表面側には、アドレス帳や発信先電話番号、電子メールの内容などを表示するメイン表示部２と、操作内容を入力するためのテンキーなどを有する操作部３と、を備えている。また、裏面側には、静止画像や動画像を撮影するレンズが装備されたカメラ部４と、ＩｒＤＡ方式にて赤外線通信を行うための赤外線を発する赤外線通信部５と、時刻表示や着信表示などを行うサブ表示部２’と、を備えている。さらに、内部には、携帯電話１の動作を制御するＣＰＵなどの制御部６と、アドレス帳データなどを記憶するメモリ（図示せず）と、を備えている。また、制御部６には、所定のプログラムが組み込まれることにより、画像処理部６１と、表示処理部６２と、通信制御部６３と、が構築されている。なお、その他にも、一般的な携帯電話１が有する構成、機能を装備しているが、その詳細は省略する。以下では、上述した各構成について詳述する。
【００２９】
メイン表示部２（以下、単に「表示部」という）は、表示処理部６２と協働して表示手段として機能し、表示処理部６２からの指令に従って、種々のデータを表示する。特に、カメラ部４及び画像処理部６１を介して取得した画像データを表示したり、さらには、操作部３及び通信制御部６３からの指令に従って、通信状態を表示する。また、カメラ部４にて画像を撮影する際にはファインダとして機能し、カメラ部４にて今現在取得している範囲の画像をプレビューする。そして、かかるプレビュー画像は赤外線通信を行う際に利用されるが、これについては後述する。
【００３０】
操作部３は、通信制御部６３と協働して操作手段として機能し、操作者による通信制御情報や表示制御情報、画像制御情報などの入力を受け付けて通信制御部６３に送信する。これを受けた通信制御部６３は、入力された制御情報に基づいて携帯電話１の動作制御を行う。例えば、通信制御情報に基づいて、通話や電子メール、ウェブサイトの閲覧などの携帯電話網を介した通信を行ったり、あるいは、赤外線通信部５を介した近距離の赤外線通信を行うよう通信制御する。また、表示制御情報に基づいて、表示処理部６２に所定の表示を行うよう指令を発する。さらには、画像処理部６１に画像取得を行うよう、あるいは、画像取得動作を停止するよう指令を発する。
【００３１】
カメラ部４（画像撮影部）は、画像処理部６１と協働して画像取得手段として機能する。そして、静止画像や動画像を撮影して表示処理部６２を介して表示部２に表示させたり、撮影した画像を携帯電話１内のメモリに保存したり、さらにはこれら撮影した画像を用いてテレビ電話に利用することが可能である。このカメラ部４では、図３に示すような所定の範囲（カメラ撮影範囲４０）の画像を撮影することが可能である。
【００３２】
赤外線通信部５（通信電波照射部）は、通信制御部６３と協働して近距離無線通信手段として機能する。そして、赤外線にて通信対象物にデータを送信し、あるいは、送信されたデータを受信する。例えば、後述する通信対象物であるテレビ１００に対してチャンネルを選択するデータを送信し、赤外線リモコンとして利用したり、あるいは、他の携帯電話に対してデータ転送を行うなど相互にデータ通信を行うことに利用可能である。この赤外線通信部５からは、図３に示すように、一定の照射方向に向かって、指向性が高い赤外線（送信光）を送信する。
【００３３】
そして、本実施例では、カメラ部４と赤外線通信部５は、携帯電話１の背面側に近接して配置されている。特に、図３に示すように、カメラ部４によるカメラ撮影範囲４０内に赤外線照射方向５０が位置するよう配置されており、画像撮影方向と赤外線の照射方向が一致するよう配置されている。さらに言うと、カメラ撮影範囲４０のほぼ中央に赤外線照射方向が位置するよう設定されている。従って、カメラ部４にて撮影した画像のほぼ中央部分が、赤外線の照射方向を示していることとなる。
【００３４】
また、カメラ部４及び画像処理部６１によるカメラ機能は、赤外線通信を行う際に自動的に起動して、画像を撮影する。具体的には、操作部３から赤外線通信を開始する旨の指令が入力されると、通信制御部６３は、通信が開始される前に、通信開始準備指令を画像処理部６１と表示処理部６２とに通知する。そして、かかる通信開始準備指令を受けた画像処理部６１では、カメラ機能を起動してカメラ部４にて画像を撮影し、表示部２に表示するよう表示処理部６２に渡す。
【００３５】
また、通信制御部６３から通信開始準備指令を受けた表示処理部６２は、通信が開始される前に、カメラ部４にて取得した画像を表示部２に表示する（プレビューする）と共に、この表示した画像上に、赤外線の照射方向を表す照射位置マーク２１を表示する。この照射位置マーク２１は、例えば、図４に示すように十字状のマークである。そして、上述したように、カメラ部４の撮影範囲のほぼ中央に照射方向が位置するよう設定されていることから、画像のほぼ中央に照射位置マーク２１が表示されることとなる。また、図４に示すように、画像上には、十字状の照射位置マーク２１をさらに点線にて延長した照射位置補助マーク２２も表示される。
【００３６】
なお、上記照射位置マーク２１及び照射位置補助マーク２２は、上述したように、赤外線通信機能を使用するときにのみ表示される。従って、カメラ機能を単独で使用するときには、照射位置マーク２１等は表示部２には表示されない。
【００３７】
ここで、表示部２に照射対象を表示したときの例を、図３乃至図４を参照して説明する。この図では、携帯電話１の赤外線通信機能をテレビ１００のリモコンとして使用する例を説明する。従って、照射対象物はテレビ１００であり、特に、赤外線の照射方向はテレビ１００に装備された赤外線受光部１０１である。
【００３８】
図３に示すように、操作者は、テレビ１００にカメラ部４を向けて画像を撮影する。すると、図４に示すように、表示部２にテレビ１００が映し出され、その中央には照射位置マーク２１が表示される。そして、照射開始前に、照射位置マーク２１の位置にテレビ１００の赤外線受光部１０１が位置するよう操作者は携帯電話１の位置、つまり、カメラ部４の撮影範囲を移動させればよい。
【００３９】
［動作］
次に、上記携帯電話１を用いて赤外線通信を行うときの動作を、図５を参照して説明する。まず、操作者が赤外線通信を行う選択を操作部３から行うと（ステップＳ１）、そのことが通信制御部６３から画像処理部６１、表示処理部６２に通知される。画像処理部６１では、カメラ機能を起動し（ステップＳ２）、カメラ部４から画像を撮影して表示処理部６２に渡す。すると、表示処理部６２では、受け取った画像と共に、当該画像上の中央に照射位置マークを表示して表示部２にて表示する（ステップＳ３）。
【００４０】
続いて、操作者は、赤外線の照射目標位置となるテレビ１００の赤外線受光部１０１上に照射位置マーク２１が位置するよう、携帯電話１の位置を移動させて位置合わせを行う（ステップＳ４にて否定判断後、ステップＳ３）。このとき、照射位置補助マーク２２を参照して位置合わせを行ってもよい。そして、照射位置マークを赤外線受光部１０１に合わせられたときに、操作者は操作部３から通信ボタンを押下して、送信を実行する指令を入力する（ステップＳ４にて肯定判断）。すると、かかる入力を受けた通信制御部６３は、赤外線の照射を行う（ステップＳ５）。その後、赤外線受光部１０１にてテレビの操作指令が入力され、テレビ１００のチャンネル切替などの操作が行われる。
【００４１】
このようにすることにより、操作者は表示部２を見て、赤外線通信部４の照射方向が通信対象に向いているか否かを確認し、向いているときに通信操作指令を入力することができるため、通信時の位置合わせを容易に行うことができ、通信の確実性の向上を図ることができる。特に、携帯電話１は載置して使用するものではないために固定が容易ではないが、かかる装置であっても位置合わせを容易に行うことができるため、操作性が向上する。さらに、携帯電話１は多くの機種で予めカメラが搭載されているため、かかるカメラ機能を利用することで、低コストで赤外線通信の操作が容易となり、通信の確実性の向上を図ることができる。
【００４２】
ここで、上記では、赤外線通信を行う際にカメラ機能が自動的に起動すると説明したが、手動にて起動してもよい。また、照射位置マーク２１が表示部２の中央に表示されると説明したが、中央に表示されることに限定されない。また、照射位置マーク２１は表示されなくてもよい。その場合には、表示画面のほぼ中心付近（あるいは他の箇所）が照射方向であることを予め知っている必要が有るが、かかる位置に通信対象が位置するように位置あわせを行えばよい。
【実施例２】
【００４３】
次に、本発明の第２の実施例を、図６乃至図８を参照して説明する。図６は、本実施例における携帯電話の構成を示す機能ブロック図である。図７は、本実施例における赤外線通信時の状況を示す説明図である。図８は、本実施例における携帯電話の動作を示すフローチャートである。そして、本実施例では、図７に示すように、携帯電話同士で赤外線通信を行い、データの送受信を行う場合を示す。
【００４４】
［構成］
本実施例における携帯電話１は、上記実施例１と同様の構成を備えており、これに加え、以下の構成を備えている。かかる構成について、図６及び上述した図２を参照して説明する。
【００４５】
まず、本実施例おける携帯電話１の通信制御部６３は、赤外線通信部５にて赤外線通信を行う際に、徐々に赤外線の照射レベルを上げて通信を行う制御機能を有する。これに伴い、赤外線通信部５には、赤外線の照射レベルを可変して照射することを実現する回路が装備されており、その一例を図６に示す。
【００４６】
この図に示すように、赤外線通信部５は、制御部６からの指令により赤外線の照射制御を行うＬＥＤドライバ部５１と、このＬＥＤドライバ部５１からの制御指令により点灯され赤外線を発する赤外線通信用ＬＥＤ５２と、制御部６からの指令により赤外線通信用ＬＥＤ５２に流す電流を可変させる電流可変用抵抗５３と、を備えている。そして、赤外線通信用ＬＥＤ５２は、流れる電流により発光強度が変化し、流れる電流が多いほど発光強度が高くなる性質を有する。
【００４７】
そして、制御部６の通信制御部６３は、上述した照射方向の位置合わせ後に、赤外線照射が開始されると、電流可変用抵抗５３の抵抗値を一定の時間間隔ごと（例えば、０．２秒ごと）変化させるよう制御し、赤外線の発光強度を最小レベルからに徐々に高くなるよう変化させる。そして、実際に通信が確立されたときの照射レベルが、現在の通信環境下（距離など）における最小の発光強度となりうる。従って、かかる発光強度に固定することで、赤外線通信にて使用する消費電力の低減を図ることができる。
【００４８】
そして、上記構成に伴い、通信制御部６３と赤外線通信部５とは、通信相手との接続が確立したか否かを検知する機能を備えている。例えば、通信相手となる他の携帯電話の赤外線通信部５から受信応答（ＡＣＫ）を受信することによって、接続が確立したことを検知する。あるいは、実施例１にて説明したように、テレビ１００のリモコンとして利用し、通信相手からの応答がない場合には、操作が成功した旨の操作ボタンが操作者にて入力されたことを検知することにより、接続が確立したことを検知する。そして、通信制御部６３と赤外線通信部５は、赤外線通信の接続の確立を検知すると、そのときの赤外線の照射レベルを固定して、赤外線通信を継続する。
【００４９】
さらに、通信制御部６３は、上述したように接続の確立を検知すると、接続確立通知を画像処理部６１に通知する。そして、画像処理部６１は、接続確立通知を受けるとカメラ部４の動作を停止して、画像の取得を停止する機能を有する。
【００５０】
［動作］
次に、上記携帯電話１を用いて、図７に示すように他の携帯電話１’と赤外線通信を行うときの動作を、図８のフローチャートを参照して説明する。
【００５１】
まず、操作者が赤外線通信を行う選択を操作部３から行うと（ステップＳ１１）、そのことが通信制御部６３から画像処理部６１、表示処理部６２に通知される。画像処理部６１では、カメラ機能を起動し（ステップＳ１２）、カメラ部４から画像を撮影して表示処理部６２に渡す。すると、表示処理部６２では、受け取った画像と共に、当該画像上の中央に照射位置マークを表示して表示部２にて表示する（ステップＳ１３）。
【００５２】
続いて、操作者は、赤外線の照射目標位置となる他の携帯電話１’の赤外線通信部（図示せず）上に照射位置マーク２１が位置するよう、携帯電話１の位置を移動させて位置合わせを行う（ステップＳ１４にて否定判断後、ステップＳ１３）。そして、照射位置マーク２１を赤外線通信部（図示せず）に合わせたときに、操作者は操作部３から通信ボタンを押下して、送信を実行する指令を入力する（ステップＳ１４にて肯定判断）。すると、通信制御部６３から画像処理部６１にその旨が通知され、もはや画像表示は不要であるためカメラ機能が停止され、画像の撮影及び表示部２への表示が停止される（ステップＳ１５）。
【００５３】
そして、送信実行指令を受けた通信制御部６３は、赤外線通信機能を初期化して、発光強度を最低レベルに設定し（ステップＳ１６）、赤外線の送信を行う（ステップＳ１７）。このとき、通信制御部６３では、通信相手である他の携帯電話１’から受信応答があるか否かによって、通信が確立されたか否かを調べる（ステップＳ１８）。受信応答がなく通信が確立されなかった場合には（ステップＳ１８にて否定判断）、赤外線通信部５の電流可変用抵抗の抵抗値を変化させて、赤外線の照射レベルを一段階上げ（ステップＳ１９）、そのレベルの赤外線を送信する（ステップＳ１７）。そして、通信が確立されるまで、赤外線の照射レベルを段階的に上げて送信する。
【００５４】
その後、他の携帯電話１’から受信応答を受信し、通信が確立されると（ステップＳ１８にて肯定判断）、そのときの照射レベルに固定して赤外線の送信し、通信が完了するまで継続する（ステップＳ２０）。
【００５５】
このようにすることにより、低い照射レベルから徐々に大きくし、通信が確立されうる最低限の照射レベルに固定して通信を行うことで、携帯電話１の赤外線通信時における消費電力の低減を図ることができる。また、カメラ機能の動作を必要最低限に制限することによっても消費電力の低減を図ることができる。そして、このことは、バッテリー容量の少ない携帯端末において非常に有効であり、駆動時間の短縮化を抑制できる。
【産業上の利用可能性】
【００５６】
本発明は、カメラ機能付き携帯電話での赤外線通信などに利用することができ、産業上の利用可能性を有する。
【図面の簡単な説明】
【００５７】
【図１】本発明における携帯電話の構成を示す構成図であり、図１（ａ）は正面図を、図１（ｂ）は背面図を示す。
【図２】携帯電話の構成を示す機能ブロック図である。
【図３】携帯電話のカメラ部による画像撮影範囲と赤外線通信部による赤外線照射方向の関係を示す説明図である。
【図４】表示部に表示される画面の一例を示す図である。
【図５】実施例１における携帯電話の動作を示すフローチャートである。
【図６】実施例２における携帯電話の構成を示すブロック図である。
【図７】実施例２における赤外線通信の様子を示す説明図である。
【図８】実施例２における携帯電話の動作を示すフローチャートである。
【符号の説明】
【００５８】
１  携帯電話（携帯型情報処理端末、近距離無線通信装置）
２  メイン表示部（表示手段）
３  操作部（操作手段）
４  カメラ部（画像取得手段、画像撮影部）
５  赤外線通信部（近距離無線通信手段、通信電波照射部、赤外線通信手段）
６  制御部
２１  照射位置マーク
２２  照射位置補助マーク
４０  カメラ撮影範囲
５０  赤外線照射方向
５１  ＬＥＤドライバ
５２  赤外線通信用ＬＥＤ
５３  電流可変用抵抗
６１  画像処理部（画像取得手段）
６２  表示処理部（表示手段）
６３  通信制御部（操作手段、近距離無線通信手段）
【図１】
2007053424.tif 000003
【図２】
2007053424.tif 000004
【図３】
2007053424.tif 000005
【図４】
2007053424.tif 000006
【図５】
2007053424.tif 000007
【図６】
2007053424.tif 000008
【図７】
2007053424.tif 000009
【図８】
2007053424.tif 000010